(57)【特許請求の範囲】
【請求項１】
呈色反応を示す試薬液と、試料を採取し試薬液に添加するための綿棒と、透明な試験容器とを備えた検査用具において、
前記試験容器が柔軟性材料からなる密封された袋であって、一端部に前記綿棒を出し入れするための出入口を有し内部に１本の綿棒を収容する縦長の綿棒収容部、並びに、この綿棒収容部の他端部側に連接され内部に１回の検査に必要な量の試薬液を収容する試薬液収容部が形設され、前記綿棒収容部と前記試薬液収容部とが、綿棒の先端部を試薬液収容部の方向へ押し込むことにより又は試薬液収容部の袋面を指で押さえ付けて袋内部の圧力を加えることにより柔軟性材料の内面同士が剥離する程度に接着した仮接着部によって仕切られ互いに隔離されたことを特徴とする検査用具。
【請求項２】
試薬液が複数の溶液からなり、各溶液を互いに隔離する第二の仮接着部が試験容器に設けられている請求項１に記載の検査用具。
【請求項３】
各々の仮接着部において柔軟性材料の内面同士を剥離可能に接着させるための手段が、熱圧着である請求項１又は２に記載の検査用具。
【発明の詳細な説明】
【０００１】
【発明の属する技術分野】
本発明は、汚染物質の有無を検査するための検査用具に関するものである。
【０００２】
【従来の技術】
食品工場等の衛生管理が要求される場所では、そこで使用される機械や器具をよく洗浄し、その上、タンパク質などの汚染物質が残留していないかどうかを検査する必要がある。従来より、汚染物質の有無を検査するためには、呈色反応を示す試薬液と、綿棒などの採取用器具と、透明な試験容器とを備えた検定用具が用いられる。
【０００３】
タンパク質の有無を検査する場合には、例えば、ビシコニン酸ナトリウムを１％（ｗ/ｖ）、Ｎａ2ＣＯ3を２％（ｗ/ｖ）、酒石酸ナトリウムを０．１６％（ｗ/ｖ）、ＮａＯＨを０．４％（ｗ/ｖ）、さらにＮａＨＣＯ3を０．９５％（ｗ/ｖ）含む水溶液（試薬液Ａ）と、ＣｕＳＯ4・５Ｈ2Ｏを４％（ｗ/ｖ）含む水溶液（試薬液Ｂ）と、綿棒と、透明な試験管とを備えた検査用具が用いられる。
【０００４】
この検査用具は以下のようにして使用される。まず、１mlの試薬液Ａを試薬瓶から試験管に移す。続いて、試薬液Ｂを数滴加えて混合する。この混合試薬液は呈色反応を示す。次に、機械や器具などの調査対象物の表面を綿棒で拭き取って試料を採取し、その綿棒を混合試薬液に漬ける。そして、このまま室温で１５分程度放置し、反応させた後、混合試薬液の色を観察する。ここで、混合試薬液の色が赤紫色に変化すると、タンパク質が存在していることを表す。
【０００５】
【発明が解決しようとする課題】
しかし、従来の検査用具では、収納空間が大きくなりすぎるため、検査現場まで運搬しにくく、また検査現場で携帯しにくい。さらに、従来の検査用具では、試験容器に試薬液を入れる作業を検査現場でしなければならず、操作が面倒である。
それ故、本発明の目的は、運搬及び携帯に便利で、簡単に操作できる検査用具を提供することにある。
【０００６】
【課題を解決するための手段】
本発明の検査用具は、呈色反応を示す試薬液と、試料を採取し試薬液に添加するための綿棒と、透明な試験容器とを備えた検査用具において、前記試験容器が柔軟性材料からなる密封された袋であって、一端部に前記綿棒を出し入れするための出入口を有し内部に１本の綿棒を収容する縦長の綿棒収容部、並びに、この綿棒収容部の他端部側に連接され内部に１回の検査に必要な量の試薬液を収容する試薬液収容部が形設され、前記綿棒収容部と前記試薬液収容部とが、綿棒の先端部を試薬液収容部の方向へ押し込むことにより又は試薬液収容部の袋面を指で押さえ付けて袋内部の圧力を加えることにより柔軟性材料の内面同士が剥離する程度に接着した仮接着部によって仕切られ互いに隔離されたことを特徴としている。
請求項２に係る発明は、請求項１に記載の検査用具において、試薬液が複数の溶液からなり、各溶液を互いに隔離する第二の仮接着部を試験容器に設けたことを特徴とする。
請求項３に係る発明は、請求項１又は２に記載の検査用具において、各々の仮接着部において柔軟性材料の内面同士を剥離可能に接着させるための手段が熱圧着であることを特徴とする。
【０００７】
本発明の検査用具によって汚染物質の有無を検査するには、以下のようにすれば良い。まず、綿棒を試験容器の綿棒収容部からその一端部の出入口を通して取り出し、試料を採取した後、再び試験容器の綿棒収容部内に入れる。続いて、綿棒の先端部を試薬液収容部の方向へ押し込むか、或いは試薬液収容部の袋面を指で押さえ付けて袋内部の圧力を加えることにより、仮接着部の柔軟性材料の内面同士を剥離させて、綿棒を試薬液に漬ける。そして、このまま反応させた後、試薬液の色を観察し、汚染物質の有無を判定する。
【０００８】
本発明の検査用具では、試薬液と綿棒とが試験容器内に収容されて、一つにまとまっている。よって、本発明の検査用具では、収納空間が小さくて済み、運搬及び携帯に便利である。また、一回の検査に必要な量の試薬液が試験容器の試薬液収容部内に既に入っているので、試薬液を入れる作業をする必要が無く、操作が簡単である。さらに、試験容器が柔軟性材料からなるので、破損しにくい。また、試験容器を変形させて、収納空間をより小さくすることも可能である。
【０００９】
試薬液が変質しやすく事前に調整され得ないときには、調整前の複数の溶液をそれぞれ試験容器内に収容しなければならない。このような場合には、試薬液と綿棒とを隔離する仮接着部とは別に、各溶液を互いに隔離する第二の仮接着部を試験容器に設けることによって、各溶液が互いに隔離されるようにすると良い。そして、検査時若しくは検査直前に、この第二の仮接着部を剥離させてそれらの溶液を混合し、試薬液を調製すると良い。また、各仮接着部において柔軟性材料の内面同士を剥離可能に接着させるには、温度条件や圧力条件を適当に調節しながら熱圧着すればよい。
【００１０】
【発明の実施の形態】
本発明の検査用具の第一実施形態を図１に斜視図として示す。また、図１のＡＡ断面図を図２に示す。本実施形態の検査用具１は、一回の検査に必要な量の呈色反応を示す試薬液２と、一個の綿棒３と、試験容器４とからなる。試薬液２は、試験容器４の下部に形設された試薬液収容部内に充填され、綿棒３は、試験容器４の上部に形設された綿棒収容部内に収容されている。
【００１１】
試験容器４は、長方形をした透明な柔軟性フィルムを二枚重ね、周縁部でフィルムの内面同士を接着させることにより、密封された袋となっている。ただし、上端部４ａではフィルムの内面同士を剥離可能に接着させており、そのため上端部４ａを剥離させると綿棒３の出し入れが可能である。また、試薬液２が充填された試薬液収容部と綿棒３が収容された綿棒収容部とは、仮接着部４ｂによって仕切られ互いに隔離されている。仮接着部４ｂでは、上端部４ａと同様に、フィルムの内面同士が剥離可能に接着している。よって、試料を試薬液２に添加する際には、仮接着部４ｂより導入することができる。
【００１２】
試験容器４を構成するフィルムの材質については、透明性、柔軟性、液不透過性、及び菌不透過性を有するものなら、特に限定されない。例えば、ポリスチレンが使用され得る。また、フィルムの内面同士を接着させるには、熱シール機によって熱圧着すると良い。このとき上端部４ａ及び仮接着部４ｂにおいては、温度あるいは圧力を調節して、液密性を保つことができ且つ剥離可能な程度に接着させる。
【００１３】
試薬液２については、検査したい汚染物質の種類に応じて、適当なものを選択すると良い。タンパク質の有無を検査する場合には、試薬液２を、コーマッシー・ブリリアント・ブルー（Coomassie Brilliant Blue, ＣＢＢ）Ｇ−２５０を０．０１％（ｗ/ｖ）、エタノールを４．７％（ｗ/ｖ）、さらにリン酸を８．５％（ｗ/ｖ）含む水溶液にするか、サーバ・ブルー・ジー（Serva Blue Ｇ）を０．０１％（ｗ/ｖ）、エタノールを５．４％（ｗ/ｖ）、さらに８５％（ｗ/ｖ）リン酸を１２％（ｗ/ｖ）含む水溶液にすると良い。これらの水溶液を試薬液２としたときには、先に例示した従来の検査用具の試薬液とは異なり、試薬液を調製する必要が無く、また有害な物質が含まれていないので安全である。さらに、反応時間が短いので、迅速に検査することができる。とりわけ、サーバ・ブルー・ジーを含む水溶液では、反応時間が２分以内で済む。上記二つの水溶液では、一回の検査に必要な量はおよそ１mlである。
【００１４】
本実施形態の検査用具１の使用例として、機械類の表面にタンパク質が存在しているかどうかを検査するための手順を以下に示す。なお、試薬液２としては、上記のサーバ・ブルー・ジーその他の成分を含む水溶液を使用しているものとする。
【００１５】
まず、試験容器４の上端部４ａを剥離させて綿棒収容部内から綿棒３を取り出す。次に、機械や器具などの調査対象物の表面を綿棒３で拭き取って試料を採取し、再び上端部４ａより綿棒３を試験容器４の綿棒収容部内に入れる。続いて、綿棒３を試薬液収容部の方向に押し込む。すると、仮接着部４ｂのフィルムの内面同士が剥離して、綿棒３が試薬液２に漬かる。そして、このまましばらく反応させると良い。ここで、もし試料中にタンパク質が存在しているなら、サーバ・ブルー・ジーがタンパク質のアルギニン基又は芳香族基と結合して、吸光度が変化するため、試薬液２の色が茶色から青色に変わる。よって、試薬液２の色の変化を観察することにより、タンパク質の有無を検査することができる。なお、仮接着部４ｂの剥離は、フィルムの上から試薬液収容部の袋面を指で押さえ付けて圧力を加えることによっても可能である。
【００１６】
本実施形態の検査用具１では、試薬液２と綿棒３とが試験容器４内に収容されて、一つにまとまっている。よって、本実施形態の検査用具では、収納空間が小さくて済み、運搬及び携帯に便利である。また、一回の検査に必要な量の試薬液２が試験容器４内に既に入っているので、試薬液２を入れる作業をする必要が無く、操作が簡単である。さらに、試験容器４が柔軟性フィルムからなるので、破損しにくい。また、試験容器４を変形させて、収納空間をより小さくすることもできる。
【００１７】
本実施形態の検査用具１において、綿棒３を予め滅菌処理しておくと良い。また、綿棒３の綿を湿らせておくと、乾燥した試料でも簡単に採取することができる。一定量の試料を採取できるなら、試薬液２の色の変化程度を観察することにより、汚染物質を定量することも可能である。さらに、試薬液２と綿棒３とを厳重に隔離するために、仮接着部４ｂを二つ以上設けても良い。
【００１８】
本発明の検査用具の第二実施形態を図３に正面図として示す。本実施形態の検査用具１１では、第一実施形態の検査用具１と同様に、試薬液１２と、綿棒１３と、二枚の柔軟性フィルムによって構成された試験容器１４とからなる。しかし、本実施形態の検査用具１１では、仮接着部１４ｂの幅が周縁部における接着部分の幅よりも狭くなっている点で異なる。そのため、第一実施形態の検査用具１よりも仮接着部１４ｂを剥離させるのが容易であり、試薬液１２に外側から圧力を加える（例えば指で押さえる）と、必ず仮接着部１４ｂのみが剥離する。よって、周縁部が剥離して試薬液１２が漏出する心配がない。
【００１９】
本発明の検査用具の第三実施形態を図４に正面図として示す。本実施形態の検査用具２１では、試薬液２２が二種類の溶液からなり、また各溶液を互いに隔離する第二の仮接着部２４ｃが試験容器２４に設けられている。その他は、第一実施形態と同じである。この検査用具２１では、検査時までは各溶液を別々に収容し、検査時には第二の仮接着部２４ｃを剥離させて混合することができる。したがって、本実施形態の検査用具２１は、試薬液２２が変質しやすいため、事前に調整され得ない場合に有効である。
【００２０】
第二の仮接着部２４ｃの剥離は、試料の添加と同時に行っても良いし、試料の添加前に行っても良い。試料添加と同時に行うには、試料採取済みの綿棒２３を試薬液２２の方向に押し込むことによって、仮接着部２４ｂ及び第二の仮接着部２４ｃを続けて剥離させる。試料添加前に行うには、試薬液２２に指で圧力を加えることによって第二の仮接着部２４ｃをまず剥離させて、試薬液を調製した後に、綿棒２３で押し込むか指で圧力を加えるかして、仮接着部２４ｂを剥離させる。なお、図３の検査用具１１の仮接着部１４ｂのように、仮接着部２４ｂ及び第二の仮接着部２４ｃの幅を狭くして剥離し易くしても良い。
【００２１】
【発明の効果】
本発明の検査用具は、運搬及び携帯に便利で、操作が簡単である。
【図面の簡単な説明】
【図１】本発明の検査用具の第一実施形態を示す斜視図である。
【図２】図１のＡＡ断面図である。
【図３】本発明の検査用具の第二実施形態を示す正面図である。
【図４】本発明の検査用具の第三実施形態を示す正面図である。
【符号の説明】
１、１１、２１    検査用具
２、１２、２２    試薬液
３、１３、２３    綿棒
４、１４、２４    試験容器
４ａ                    上端部
４ｂ、１４ｂ、２４ｂ    仮接着部
２４ｃ                  第二の仮接着部
【図１】
0003792444.tif 000002
【図２】
0003792444.tif 000003
【図３】
0003792444.tif 000004
【図４】
0003792444.tif 000005